(57)【要約】【課題】  天然香料からなる芳香液を用いて、任意に設定した温度で定量的に芳香液の芳香成分を蒸散させることができる芳香剤と、これを用いた芳香装置を提供する。【解決手段】  天然香料からなる芳香液を粒塊状に形成した吸着担体に吸着させてなる芳香剤であって、芳香液は、天然香料を所定温度において揮発可能にすべく、天然香料と、揮発温度を調節する有機溶剤とを混合して調製したものであることを特徴とする芳香剤１２である。また、芳香剤１２を加熱する筒状に形成されたヒータ１６と、ヒータ１６に電源を供給する電源装置２０と、ヒータ１６の外周面を覆うように配設された断熱材１８とにより構成されていることを特徴とする芳香装置１０である。【選択図】        図１
2004321789.tif 000002
【特許請求の範囲】
【請求項１】
天然香料からなる芳香液を粒塊状に形成した吸着担体に吸着させてなる芳香剤であって、
前記芳香液は、前記天然香料を所定温度において揮発可能にすべく、
前記天然香料と、揮発温度を調節する有機溶剤とを混合して調製したものであることを特徴とする芳香剤。
【請求項２】
前記有機溶剤は、ジ・プロピレングリコールおよび／またはアルコールであることを特徴とする請求項１に記載の芳香剤。
【請求項３】
前記吸着担体は、珪酸カルシウムであることを特徴とする請求項１または２に記載の芳香剤。
【請求項４】
前記吸着担体には、当該吸着担体における吸着容量の半分程度の量の芳香液を吸着させていることを特徴とする請求項１〜３のうちいずれか一項に記載の芳香剤。
【請求項５】
請求項１〜４のうちいずれか一項に記載の芳香剤を加熱する筒状に形成されたヒータと、
前記ヒータに電源を供給する電源装置と、
前記ヒータの外周面を覆うように配設された断熱材とにより構成されていることを特徴とする芳香装置。
【請求項６】
前記ヒータは、面状発熱体であることを特徴とする請求項５に記載の芳香装置。
【請求項７】
前記ヒータの内部空間に着脱自在に配設され、前記芳香剤を収容する筒状の収容部を備えていることを特徴とする請求項５または６に記載の芳香装置。
【請求項８】
請求項１〜４のうちいずれか一項に記載の芳香剤を電球からの発熱を利用して加熱する加熱皿と、
該加熱皿を前記電球に支持させるための支持部材とにより構成されていることを特徴とする芳香装置。
【請求項９】
前記加熱皿は、上面側に前記芳香剤を載置する載置部が形成され、下面側には曲面からなる凹部が形成されていることを特徴とする請求項８に記載の芳香装置。
【請求項１０】
前記加熱皿には上面から下面に貫通する通気孔が形成されていることを特徴とする請求項８または９に記載の芳香装置。                                                       
【発明の詳細な説明】
【技術分野】
【０００１】
本発明は、エッセンシャルオイル等の天然香料を用いた芳香剤およびこれを用いた芳香装置に関し、より詳細には、天然香料を定量的に蒸散させることが可能な芳香剤およびこれを用いた芳香装置に関する。
【背景技術】
【０００２】
従来より、常温において揮発性を有する人工香料を設置したり、人工香料をそのまま又は水等で希釈した後に加熱して香り成分を蒸発させる等によって、香りを楽しむことが行われている。
特に近年においては、健康志向の高まりと共に、人工香料の使用よりも動物や植物から抽出された天然オイルが好まれるようになり、エッセンシャルオイルが広く用いられるようになってきている。
ところで、エッセンシャルオイル等の天然香料を芳香剤として使用する方法として、天然オイルを水や油と共に加熱して、天然オイルの芳香成分を蒸発させる方式の芳香装置として特許文献１に記載されているようなものが提案されている。
【特許文献１】特開２００２−１５３５５０号公報
【発明の開示】
【発明が解決しようとする課題】
【０００３】
特許文献１に記載されている芳香装置によれば、簡単にエッセンシャルオイルから成る芳香液を蒸散させることが可能になり、エッセンシャルオイルを芳香剤として好適に用いることができる。しかしながら、特許文献１に記載されている方法による場合は、香り成分を芳香液、つまりは、液体のものを利用しなければならず、取り扱いが不便であるという課題がある。
また、特許文献１の芳香装置に用いられているエッセンシャルオイルは、ヒノキ油のみを対象にしているため、他のエッセンシャルオイルによっては、さらに高温で加熱しなければならなかったり、加熱部が高温になりすぎてしまい、好適な蒸散ができなくなるそれがある。また、高温で加熱しなければならないエッセンシャルオイルを用いる場合には、火災や火傷のおそれがあることは否めない。
【０００４】
さらには、気分に応じてエッセンシャルオイルを使い分けすることや、複数種類のエッセンシャルオイルを混合してオリジナルの香りを楽しもうとする場合は、芳香液どうしを調合することになるため、調合した香りが気に入らない場合には、エッセンシャルオイルが無駄になるおそれがある。また、芳香成分の揮発温度の相違により好適に香りが混合されないため、様々な香りを楽しむことができないといった課題もある。
【０００５】
本発明は、以上に述べた課題を解決するためになされたものであり、ヒノキ油以外のエッセンシャルオイルでも好適に使用することができると共に、気分に応じたエッセンシャルオイルの使い分けや、簡単にオリジナルの香りを楽しむと共に、エッセンシャルオイルの無駄使いを無くすことが可能な芳香剤およびこれを用いた芳香装置を提供することを目的としている。
【課題を解決するための手段】
【０００６】
以上の課題を解決し、目的を達成するために、本発明者は以下に示す構成を有している。
すなわち、天然香料からなる芳香液を粒塊状に形成した吸着担体に吸着させてなる芳香剤であって、前記芳香液は、前記天然香料を所定温度において揮発可能にすべく、前記天然香料と揮発温度を調節する有機溶剤とを混合して調製したものであることを特徴とする芳香剤である。
これにより、ヒータの温度を一定温度にすることができると共に、使用する天然香料の種類に拘わらず、所望の温度において定量的に蒸散させることが可能になる。
【０００７】
また、前記有機溶剤は、ジ・プロピレングリコールおよび／またはアルコールであることが好ましい。
これにより、例えば揮発温度が高いエッセンシャルオイルや揮発温度が低いエッセンシャルオイルであっても、任意の揮発温度に設定することができるため、ヒータの温度を所定の温度に保つことができると共に、複数種類のエッセンシャルオイル（天然香料）を同時に好適に蒸散させることが可能になる。
【０００８】
また、前記吸着担体は、珪酸カルシウムであることが好ましい。
これにより、エッセンシャルオイルを固体として用いることができるので、取り扱いが容易になる。
さらに、前記吸着担体には、当該吸着担体における吸着容量の半分程度の量の芳香液を吸着させていることが好ましい。
これにより、エッセンシャルオイルが吸着担体の表面にあらわれないようにすることができるので、刺激の強いエッセンシャルオイルを吸着させた芳香剤であっても、素手で取り扱うことができる。
【０００９】
また、他の発明は、上記のいずれかに記載されている芳香剤を加熱する筒状に形成されたヒータと、前記ヒータに電源を供給する電源装置と、前記ヒータの外周面を覆うように配設された断熱材とにより構成されていることを特徴とする芳香装置である。
これにより、天然香料であるエッセンシャルオイルでありながら、所定の温度で定量的に蒸散させることができるため、様々な香りを安全にしかも容易に楽しむことができる。
【００１０】
さらに、前記ヒータは、面状発熱体であることが好ましい。
これにより、専用の温度調整手段を用いることなく、ヒータの温度調整を一定温度に維持することができるとともに、使用電力量を節約することができる。
【００１１】
また、前記ヒータの内部空間に着脱自在に配設され、前記芳香剤を収容する筒状の収容部を備えていることが好ましい。
これにより、芳香剤の出し入れが容易に行えると共に、オリジナルの香りを作る際において、使用する芳香剤の組み合わせを容易に変更することできる。
【００１２】
さらに他の発明は、前記芳香剤を電球からの発熱を利用して加熱する加熱皿と、該加熱皿を前記電球に支持させるための支持部材とにより構成されていることを特徴とする芳香装置である。
これにより、専用の電源装置を必要としない芳香装置を提供することができる。
【００１３】
また、前記加熱皿には上面と下面を貫通する通気孔が形成されていることが好ましい。
これにより、電球からの熱を吸収し易くなるため、低電力の電球であっても好適に芳香剤を加熱することが可能になる。
【発明の効果】
【００１４】
本発明によれば、吸着担体に吸着させるエッセンシャルオイル等の天然香料と、揮発温度を調節する有機溶剤とを混合することにより、揮発温度を調整しているので、ヒータの温度を一定温度にすることができると共に、使用するエッセンシャルオイル等の天然香料の種類に拘わらず、所望の温度において好適に蒸散させることが可能になる。
また、使用する有機溶剤によって、天然香料の揮発温度を高くしたり低くしたりすることが自在にできるので、揮発温度が高い天然香料や揮発温度が低い天然香料であっても、任意の揮発温度に近づけることができ、ヒータの温度を所定の温度に保つことができると共に、複数種類のエッセンシャルオイル等の天然香料を同時に好適に蒸散させることが可能になる。
【００１５】
さらに、吸着担体に珪酸カルシウムを用いていることにより、エッセンシャルオイル等の天然香料を固体として用いることができるので、取り扱いが容易になる。
さらにまた、吸着担体における吸着容量の半分程度の量の芳香液を吸着させていることにより、エッセンシャルオイル等の天然香料が吸着担体の表面にあらわれないようにすることができると共に、刺激の強いエッセンシャルオイルであっても、素手で取り扱うことができる。
【００１６】
また、以上に示した芳香剤を用いた芳香装置としたことにより、天然香料であるエッセンシャルオイルでありながら、様々な香りを安全にしかも容易に楽しむことができる。
さらに、ヒータに面状発熱体を用いたことにより、専用の温度調整手段を用いることなく、ヒータの温度調整を一定温度に維持することができるとともに、使用電力量を節約することができる。
さらにまた、ヒータの内部空間に着脱自在に配設されると共に、芳香剤を収容する収容部を備えていることにより、芳香剤の出し入れが容易に行えると共に、オリジナルの香りを作る際において、使用する芳香剤の組み合わせを容易に変更することできる。
【００１７】
さらには、芳香装置を前記芳香剤を電球からの発熱を利用して加熱する加熱皿と、該加熱皿を前記電球に支持させるための支持部とにより構成したことにより、専用の電源装置を必要としない芳香装置を提供することができる。
また、加熱皿の下面側は黒色に塗装されていることにより、電球からの熱（赤外線）を吸収し易くなるため、低電力の電球であっても好適に芳香剤を加熱することが可能になる等といった著効を奏する。
【発明を実施するための最良の形態】
【００１８】
（芳香剤についての実施の形態）
以下に、本願発明に係る芳香剤について、好適な実施の形態に基づいて詳細に説明する。
本願発明に係る芳香剤は、エッセンシャルオイルを吸着担体に含浸させることにより製造される。なお、エッセンシャルオイルの揮発温度は原材料により異なっているため、所定の温度において芳香成分が揮発するように、無臭の有機溶剤を加えることによってによって、予め揮発温度が調節されている。
【００１９】
具体的には、レモンやローズマリー等の揮発温度の低い（引火点温度が４０℃程度）エッセンシャルオイルを用いる場合には、揮発温度を高くするために、揮発性の低い無色の有機溶剤として、例えばジ・プロピレングリコール（引火点温度１３８℃）にエッセンシャルオイルを所定の割合で混合する。これにより、揮発性が高いエッセンシャルオイルであっても、有機溶剤により揮発を抑制させることができる。なお、エッセンシャルオイルの揮発温度を高く設定したい場合には、エッセンシャルオイルに対するジ・プロピレングリコールの混合割合を多くすれば良い。このようにエッセンシャルオイルに対するジ・プロピレングリコールの混合割合を変えることにより、揮発温度を任意の揮発温度に設定することができる。
これとは反対に、ゼラニウムやレモングラス等の揮発温度が高い（引火点温度が８２〜８９℃程度）エッセンシャルオイルを用いる場合には、揮発温度を低くするために、揮発性の高い無色の有機溶剤として、例えばアルコール（引火点温度２０℃程度）とエッセンシャルオイルを所定の割合で混合させる。これにより、揮発性が低かったエッセンシャルオイルであっても、有機溶剤が揮発することにより、芳香成分が誘引されて揮発性を向上させることができる。なお、エッセンシャルオイルの揮発温度を低く設定したい場合においては、エッセンシャルオイルに対するアルコールの混合割合を多くすれば良いのは言うまでも無い。
【００２０】
エッセンシャルオイルは自然香料であるので、ロット毎に引火点等の値にばらつきが生じるので、アルコールとエッセンシャルオイルの混合比を適宜変更することにより、任意の揮発温度に設定することができる。
本実施の形態においては、揮発温度が約６０℃になるように、エッセンシャルオイルと有機溶剤とを所定の割合で調合して芳香液を調製している。現在、広く用いられているエッセンシャルオイルは、揮発温度が低いもの（例えばレモン）と、揮発温度が高いもの（例えばレモングラス）とで約４２℃〜８９℃の幅があることや、ヒータによる火傷の事故を防止する観点から芳香液を揮発させる温度を約６０℃に設定した。
【００２１】
以上のようにして調製した芳香液を吸着担体に含浸させて、芳香剤を製造する。芳香剤の吸着担体には多孔質体材料を用いることが可能であるが、本実施の形態では、吸着担体として珪酸カルシウムを用いている。珪酸カルシウムは花弁状結晶構造の物質であり、粒塊状に形成することにより、単位体積あたりの吸着容量が高く、液体保持力が良好であるため、吸着担体として好適である。本実施の形態においては、吸着担体の取り扱いを容易にするために、外径を約６〜９ｍｍとした珪酸カルシウムの球状体を吸着担体として用いている。
【００２２】
まず、芳香液の中に粒塊状に形成された珪酸カルシウムを浸漬して、芳香液を珪酸カルシウムに含浸させる。ここで、粒塊状に形成された珪酸カルシウムが有している吸着容量に対して、半分程度の量まで芳香液を含浸させた後、芳香液の中から珪酸カルシウムを取り出す。取り出した珪酸カルシウムを２〜３日間放置しておくことにより、表面部分に含浸されていた芳香液が珪酸カルシウムの内部に染み込んでいき、珪酸カルシウムの表面が乾いた状態の芳香剤が出来上がる。
【００２３】
このようにして製造された芳香剤は、表乾状態で提供されるので、刺激が強いエッセンシャルオイルからなる芳香液を含浸させた芳香剤であっても、素手で持つことができるため、取り扱いが容易になり好適である。
複数種類のエッセンシャルオイルについて、それぞれのエッセンシャルオイルと、適切な有機溶剤とを調合して、所定温度にて定量的に揮発させることができるように調整した芳香液を作る。揮発温度が調整されたそれぞれの芳香液に、粒塊状に形成した珪酸カルシウムをそれぞれ浸漬して、芳香液を所定量含浸させた後、表乾状態にすれば複数種類の芳香剤を製造することができる。
【００２４】
（芳香装置の実施の形態）
第１の実施の形態においては、エッセンシャルオイルから成る芳香液を含浸させた芳香剤について説明してきたが、本実施の形態においては、第１の実施の形態における芳香剤を用いた芳香装置について詳細に説明する。
図１は、本実施の形態に係る芳香装置の正面断面図である。
【００２５】
本発明に係る芳香装置１０は、第１の実施の形態における製造方法により、所定の温度でエッセンシャルオイルの芳香成分が蒸散するように製造された芳香剤１２を収容する収容部１４と、芳香剤１２を加熱するためのヒータ１６と、ヒータ１６の外周を覆う外側ケース１８と、ヒータ１６に電源を供給する電源装置２０とによって構成されている。
【００２６】
図２は、収容部１４の斜視図である。
収容部１４は、後述するヒータ１６の内面に設けられ、有底の筒状に形成されている。収容部１４には芳香剤１２が縦方向に積み重ねられて収容され、外面側からヒータ１６により加熱されるため、空気が流入しやすいように、側面１４ａおよび底面１４ｂには通気孔１４ｃが設けられている。
さらに、収容部１４の上部には、収容部１４を上下方向に出し入れするための取手１４ｄが配設されている。このように芳香剤１２を収容する収容部１４が芳香装置１０から出し入れ自在に設けられているので、芳香剤１２の出し入れを簡単に行うことができる。
これにより、好みに応じて芳香剤１２の個数を変えて香りの強さを調整したり、複数種類の芳香剤１２を組み合わせて、オリジナルの香りを楽しむことができる。
【００２７】
図３は、図１におけるＡ部分の拡大説明図である。
ヒータ１６は、収容部１４の外周面を覆うように筒状に形成された筒状ケース２４と、筒状ケース２４の内周面に巻きつけられた面状発熱体２２と、面状発熱体２２の内側面に貼着された保護用のアルミニウム等の金属薄膜２６とにより構成されている。
また、収容部１４とヒータ１６の間は密着させているので、ヒータ１６の熱が飛散することなく、芳香剤１２に効率良く伝えることができる。これにより、芳香剤１２に含浸させた香り成分が蒸散し易くなるため好適である。
また、図３に示すように、筒状ケース２４の内周面には所定間隔で凸部２４ａが設けられていて、凸部２４ａの先端部分に面状発熱体２２が配設されているので、面状発熱体２２と凸部２４ａとにより、流動しない空気層が形成されるため、面状発熱体２２が発する熱がヒータ外部へ逃げにくい構造にすることが可能になる。さらには、筒状ケース２４にアルミ蒸着加工をすることにより、筒状ケース２４の内面側からの赤外線を反射させることによって、熱の飛散を防止することができる。
【００２８】
このようにして縦型に形成されたヒータ１６で、芳香剤１２を加熱することにより、熱が逃げにくい状態にすることができる。すなわち、多孔質体である芳香剤１２の加熱時間を大幅に短縮することができ、スイッチ投入後に短時間で香りを楽しむことができる。また、芳香成分が蒸散した際に奪われる気化熱による温度低下があっても素早く温度を回復させることができる。さらには、芳香装置１０を縦型にしたことにより、省スペースにすることができるため、車内空間等の限られたスペースにおいても好適に使用することができる。
【００２９】
本実施の形態においては、ヒータ１６に面状発熱体２２を採用している。面状発熱体２２は、電源を印加すると直ちに暖まり、発熱のムラがないため、芳香剤１２を素早く、しかも均一に加熱することができるため好適である。また、面状発熱体２２は、任意の形状に切断したり、折り曲げても断線せず、薄い部材であるため、任意の形状に形成することができるので、安全上、加工上非常に好ましい材料である。
さらに、面状発熱体２２は、発熱物質とバインダの混合比を調節することにより、任意のＰＴＣ特性を具備させることができるので、温度制御手段を用いなくても、所定の温度を維持することができる。本実施の形態においては、芳香剤１２が約６０℃に加熱されるように、面状発熱体２２の温度を設定している。
【００３０】
ヒータ１６の外側には、プラスチック等の合成樹脂により円筒状に形成された外側ケース１８が設けられている。外側ケース１８は２分割された外側ケース片１８ａ、１８ｂを互いに対向させて組み合わせることにより筒状に形成されている。外側ケース１８とヒータ１６との間に隙間を設けておくことにより、隙間部分に空気が介在して断熱材として作用するから、ヒータ１６からの熱を絶縁することができる。外側ケース１８の上面と下面はそれぞれ開口しており、外部からの空気を流入可能にしておくことで、常に新鮮な空気が流入するため、暖められた空気が流出し、さらに断熱効果を高めることができる。
外側ケース１８の内側面には、電源装置２０を保持するための係止溝１８ｃが形成されている。電源装置２０は、外側ケース１８を組立する際に、係止溝１８ｃに電源装置２０の端部を挟持させておくことにより、外側ケース１８と一体に形成することができる。
【００３１】
電源装置２０は、図示しない電源コードにより供給された家庭用の交流電流を直流電流に変換してヒータ１６に電源を供給するためのものである。
なお、外側ケース１８の内部空間には、ＬＥＤ３０を配設しても良い。ＬＥＤ３０もヒータ１６と同様に電源装置２０に電気的に接続されている。芳香装置１０に電源を投入すると、ヒータ１６が加熱されると共に、ＬＥＤ３０が発光し、嗅覚のみならず視覚的にも癒しの効果を享受することができる。また、スイッチが投入されていることを確認するにも好適である。本実施の形態のように芳香装置１０にＬＥＤ３０を配設する場合においては、ＬＥＤ３０が配設された部分の外側ケース１８は透明または半透明な材料により形成しておくことが好ましい。
【００３２】
（芳香装置における他の実施の形態）
先の芳香装置の実施の形態においては、電源コードにより家庭用電源を供給するものであったが、家庭用電源がない場所等において使用することができないという課題があった。そこで、本実施の形態においては、電源に電池を用いた形態について図４を参照しながら説明する。図４は、第３の実施の形態に係る芳香装置の正面断面図である。
なお、本実施の形態において、第２の実施の形態と同様の構成部材については、第２の実施の形態と同符号を付すことにより、詳細な説明は省略する。
【００３３】
本実施の形態における芳香装置１０は、扁平な円柱状に形成されている。第２の実施の形態における電源装置２０の代わりに、電池４０を直列接続するための通電金具４２が配設されている。ヒータ１６に採用した面状発熱体２２は発熱効率が高いので、電源が電池４０であっても十分に温度を上昇させることができる。
本実施の形態においては、外側ケース１８とヒータ１６との間の隙間部分に、単２型の乾電池４０を４本が収容可能に設けられている。また、４本の電池４０が直列接続になるようにそれぞれの電池４０の端子が通電金具４２により電気的に接続されている。
このように、本実施の形態による芳香装置１０によれば、コードレスであるため、どこにでも持ち運びすることができ、場所を選ばずに芳香剤の香りを楽しんだり、虫除け等に用いることができるため非常に好適である。
【００３４】
なお、他の電源を用いた形態として、パソコンのＵＳＢ端子（図示せず）から電源を供給する形態とすることももちろん可能である。また、パソコンのＵＳＢ端子から電源を供給する場合には、パソコンのＵＳＢ端子のハブ部分にヒータ１６を埋め込んで配設し、ハブ部分に配設したヒータ１６に芳香剤１２を加熱させたＵＳＢハブ一体型の芳香装置１０を埋め込む形態が考えられる。
また、図３に示した電池用芳香装置から電池部分を取り除いて創出したスペースに、ヒータ１６とハブを配設し、パソコンのＵＳＢ端子から電源を供給する形態とすることも可能である。
【００３５】
芳香装置１０をパソコンに接続して用いる場合においては、パソコンの記憶手段に芳香装置１０の動作を制御する制御プログラムを記憶させておくことが好適である。
制御プログラムの一例として、パソコンの記憶手段に記憶されているメールソフトのメール受信部を監視するメール受信監視手段により、メール受信部にメールの受信が確認された際に、メール受信通知手段によりパソコンの制御手段にメール受信信号が送信され、パソコンの制御手段により芳香装置１０のヒータ１６の電源装置２０が印加される制御を可能とする命令系統が組み込まれたプログラムが考えられる。なお、メール受信監視手段とメール受信通知手段は、パソコンの制御手段に一括処理させる形態であっても良いのはもちろんである。
【００３６】
また、芳香装置１０の外表面部分にＬＥＤ（図示せず）を配設し、パソコンの制御手段がメールソフトのメール受信部に新着メールを受信したことを認識した際に、制御プログラムにより芳香装置１０のヒータ１６の電源装置２０と共にＬＥＤのオンオフが制御されれば、芳香と光により、新着メールの受信をユーザに通知することができるためさらに好適である。
【００３７】
また、自動車内のアクセサリ電源から電源を供給する形態とすることも可能である。図５は、車内用芳香装置の実施の形態を示す参考壇面図である。この場合においては、電源の供給手段として、一般的に用いられているシガライタ用電源装置を用いれば良いのは言うまでもない。
芳香装置１０を自動車内で用いる場合においては、道路の凹凸等による、振動により、芳香装置１０内の芳香剤１２が飛び出してしまうおそれがある。そこで、図５に示すように収容部１４の上端面に蓋５０等の芳香剤１２の飛び出しを押さえる部材を配設しておくことが好ましい。蓋５０の内部面には、スプリング等の付勢部材を配設すれば、芳香剤１２が収容部１４から飛び出しをより好適に抑えることができる。
また、シガライタ用電源装置の差込部分５２が長く形成されているので、シガライタが奥まったところに配設されている車においても使用することが可能である。
【００３８】
以上に説明した本発明に係る芳香剤１２を利用する芳香装置１０は、揮発温度調整をしたアロマオイル等の天然香料からなる芳香液を含浸させた芳香剤１２を加熱することにより、居住空間内に芳香成分を蒸散させるものであるが、香りの強さを調整する際には、芳香装置１０に収容する芳香剤１２の数を調整するだけでよい。
また、複数種類の芳香剤１２を同時に収容部１４に入れて芳香剤１２を組み合わせて用いるだけで、簡単にオリジナルの香りを楽しむことができる。これにより、オリジナルの香りを試してみた結果、香りが気に入らない場合には、収容部１４から芳香剤１２を取り出せばよいだけなので、液体の芳香剤のように異なる芳香剤を調合して新しい芳香剤を作る場合と異なり、芳香剤を無駄にすることがないため経済的でもある。
このように、取り扱いが非常に簡単であり、安全であるため、子供でも老人でも安心して使用することができる。
【００３９】
他の形態としては、部屋の中にある電球の熱源の利用が考えられる。特に、電球の周囲がカバー等で囲まれている電気スタンドは、電球の熱が逃げにくいので、本発明に係る芳香剤であっても好適に香り成分を放出させることが可能になる。
本発明の芳香剤は固体であるので、万が一地震等により芳香装置が転倒しても電球部分が漏電するおそれがないので安心して使用することができる。
【００４０】
電球用の芳香装置１０は図６に示すように、電球７０の上部に配設された加熱皿６０と、加熱皿６０を電球７０に支持させる支持部材６２とにより構成されている。
加熱皿６０の上面周縁部には、載置した芳香剤１２が落下しないような壁部６０ａが立設されている。加熱皿６０の下面部には、低電力の電球７０であっても好適に芳香剤１２を加熱させることができるように図７に示すように球面状等の曲面からなる凹部６０ｂが形成されている。また、加熱皿６０は、小電力の電球７０であっても好適に芳香剤１２を加熱させることができるように、加熱皿６０の上下面を貫通する通気孔６０ｃが形成されているのが好ましい。
【００４１】
加熱皿６０は支持部材６２によって電球７０に支持されている。電球７０に当接する支持部材６２の先端部６２ａには、シリコンゴム等の耐熱性を有するスベリ止め部材を配設しておけば安定した加熱皿６０の支持が可能になり好適である。
支持部材６２には様々な形状が考えられるが、図６、図７に示すように電球の上部に立脚させる形態や、図８に示すように、電球７０のソケット部分を挟持することにより加熱皿６０を支持する支持部材６２とした形態も考えられる。
【００４２】
図８に示した電球用の芳香装置１０は、加熱皿６０の構造は図６、図７に示した加熱皿６０の構造と同様であるが、支持部材６２の構造が異なっている。図８に示す芳香装置１０においては、支持部材６２を締付部６４により図示しない電球のソケット部分を締め付けることにより固定する形態としている。締付部６４には中空構造の立設部６５が一体に形成されていて、立設部６５の中空部には第２の立設部６６が引き出し可能に配設されている。第２の立設部６６には、目盛を兼用したストッパ６７を所定間隔に設けておけば、電球（７０）と加熱皿６０の離間距離が一目で確認することができるためより好適である。
この他の形態としては、電球７０の側面を挟持する形態も可能であり、いずれの形態を用いても良いのはもちろんである。
【００４３】
以上に説明した実施の形態においては、芳香剤１２の香り成分の揮発温度を約６０℃に設定したが、これに限定されるものではない。例えば、自動車用の芳香装置１０においては、夏場の車内温度が約７０℃になることもあるので、揮発温度を約８０℃程度に設定しても良いのはもちろんである。
また、本実施の形態においては、芳香剤の吸着担体に珪酸カルシウムを用いているが、珪酸カルシウムの他にアルミナ等のセラミックスや、シリカ系材料による多孔質体を用いることも可能ではある。
【図面の簡単な説明】
【００４４】
【図１】芳香装置の実施の形態における正面断面図である。
【図２】収容部の斜視図である。
【図３】図１のＡ部分の拡大説明図である。
【図４】芳香装置の他の実施の形態における正面断面図である。
【図５】車内用芳香装置の実施の形態における説明断面図である。
【図６】電球を熱源に用いた芳香装置の具体例を示す斜視図である。
【図７】図６のＡ−Ａ線における加熱皿部分の断面図である。
【図８】電球用芳香装置の他の実施の形態を示す説明図である。
【符号の説明】
【００４５】
１０  芳香装置
１２  芳香剤
１４  収容部
１６  ヒータ
１８  外側ケース
２０  電源装置
２２  面状発熱体
３０  ＬＥＤ
４０  電池
５０  蓋
６０  加熱皿
６２  支持部材
７０  電球                                             
【図１】
2004321789.tif 000003
【図２】
2004321789.tif 000004
【図３】
2004321789.tif 000005
【図４】
2004321789.tif 000006
【図５】
2004321789.tif 000007
【図６】
2004321789.tif 000008
【図７】
2004321789.tif 000009
【図８】
2004321789.tif 000010